(57)【要約】      （修正有）【課題】排水時に捕集部内で確実に旋回流を発生させ、清掃性を向上させる浴室や洗面台等の排水口に取り付けられて排水口に含まれる毛髪等を捕集するヘアキャッチャーを提供する。【解決手段】ヘアキャッチャー１は平面視円形且つ断面視すり鉢状であり、流入路２、捕集部３、流出孔４、隆起部５、オーバーフロー孔６、ロック溝７より構成されている。捕集部３は凹状の窪みであり、底部に排出孔４が穿設されている。流入路２は捕集部３を中心として平面視螺旋状に形成されている。隆起部５は流入路２を挟むように形成され、隆起部５の上面は流入路２よりも上方に配置されるとともに、隆起部５の上面にオーバーフロー孔６が形成され、流出孔４で流出できなかった排水を流出させる。【選択図】図２
2015045152.tif 000002
【特許請求の範囲】
【請求項１】
浴室や洗面台などの排水口に取り付けられて排水中に含まれる毛髪等を捕集するヘアキャッチャーであって、
毛髪等を捕集する捕集部と、
捕集部に形成された流出孔と、
捕集部で渦流が発生するように、排水を捕集部へ流入させる流入路と、
流入路を挟んで形成された隆起部とを備え、
前記隆起部の上面は流入路よりも上方に配置されるとともに、流出孔で流出できなかった排水を流出させるオーバーフロー孔を備えることを特徴とするヘアキャッチャー。
【請求項２】
前記オーバーフロー孔は複数の孔群より形成されているとともに、隆起部の上面が傾斜していることを特徴とする請求項１に記載のヘアキャッチャー。
【請求項３】
前記流入路が、隆起部側面によって、捕集部を中心とする螺旋状に形成されていることを特徴とする請求項１又は請求項２に記載のヘアキャッチャー。
【請求項４】
流入した排水を下流側へと流出させる孔が、流出孔及びオーバーフロー孔のみであることを特徴とする請求項１乃至請求項３のいずれか１つに記載のヘアキャッチャー。
【発明の詳細な説明】
【技術分野】
【０００１】
本発明は、浴室や洗面台等の排水口に取り付けられて、毛髪等を捕集するヘアキャッチャーに関するものである。
【背景技術】
【０００２】
従来のヘアキャッチャーは、浴室や洗面台等の排水口に対して着脱可能に取り付けられている。又、ヘアキャッチャーは毛髪等を捕集する捕集部において、流入した排水を下流側の配管へと排出する排出孔を有している。
【０００３】
特許文献１に記載のヘアキャッチャーは、凹状の保水部を有し、螺旋状に形成された立壁部によって、旋回流を発生させながら排水が捕集部（保水部）と流入する構造となっている。上記構造においては、排水の旋回流によって毛髪等が捕集部内でまとまるため、捕集された毛髪等を容易に除去することが可能となる。又、文献１に記載のヘアキャッチャーにおいては、保水部に入りきらなかった排水は保水部の上方に設けられた上部排水流出部によって排出される構造となっている。
【先行技術文献】
【特許文献】
【０００４】
【特許文献１】特許第４７７７３７４号
【発明の概要】
【発明が解決しようとする課題】
【０００５】
上記のように、ヘアキャッチャーに対して流入する排水に旋回流を発生させることにより、毛髪等が一箇所にまとまるため、清掃性が向上するが、当該旋回流の発生においては、一定以上の排水量（水勢）が必要であった。
そこで、本発明においては、より少ない排水量でも効果的に旋回流が生じる構造を提供することを課題とする。
【課題を解決するための手段】
【０００６】
上記課題を解決するための請求項１に記載の本発明は、浴室や洗面台などの排水口に取り付けられて排水中に含まれる毛髪等を捕集するヘアキャッチャーであって、
毛髪等を捕集する捕集部と、
捕集部に形成された流出孔と、
捕集部で渦流が発生するように、排水を捕集部へ流入させる流入路と、
流入路を挟んで形成された隆起部とを備え、
前記隆起部の上面は流入路よりも上方に配置されるとともに、流出孔で流出できなかった排水を流出させるオーバーフロー孔を備えることを特徴とするヘアキャッチャーである。
【０００７】
請求項２に記載の本発明は、前記オーバーフロー孔は複数の孔群より形成されているとともに、隆起部の上面が傾斜していることを特徴とする請求項１に記載のヘアキャッチャーである。
【０００８】
請求項３に記載の本発明は、前記流入路が、隆起部側面によって、捕集部を中心とする螺旋状に形成されていることを特徴とする請求項１又は請求項２に記載のヘアキャッチャーである。
【０００９】
請求項４に記載の本発明は、流入した排水を下流側へと流出させる孔が、流出孔及びオーバーフロー孔のみであることを特徴とする請求項１乃至請求項３のいずれか１つに記載のヘアキャッチャーである。
【発明の効果】
【００１０】
請求項１に記載の本発明によれば、少ない排水量でも確実に旋回流を発生させることが可能となる。
請求項２に記載の本発明によれば、捕集された毛髪等がオーバーフロー孔より流出することを防ぐことが可能となるとともに、傾斜に伴い排水が流れるため、隆起部上に排水が残留しない。
請求項３に記載の本発明によれば、より効果的に捕集部に旋回流を発生させることが可能となる。
請求項４に記載の本発明によれば、排水流出のための孔を最小限とすることで、少ない排水量でも確実に旋回流を発生させることが可能となる。
【図面の簡単な説明】
【００１１】
【図１】本発明の取付状態を示す断面図である。
【図２】本発明の斜視図である。
【図３】本発明の平面図である。
【図４】図３のＡ−Ａ断面図である。
【図５】本発明の第二実施形態を示す平面図である。
【図６】本発明の第三実施形態を示す平面図である。
【発明を実施するための形態】
【００１２】
以下、図面を参照しながら本発明のヘアキャッチャーを説明する。尚、以下に記載する説明は実施形態の理解を容易にするためのものであり、これによって発明が制限して理解されるものではない。又、以下の実施形態においては、図１に示す取り付け状態を基準として上下左右を説明する。
【００１３】
図１に示すように、実施形態に係るヘアキャッチャー１は、以下に記載する洗い場パンＰの排水口１０に取り付けられて毛髪等を捕集する。
【００１４】
洗い場パンＰは浴室の内、シャワーや吐水栓等が備えられた洗い場側の防水パンであり、排水を下流側の配管へと流出するための排水口１０が設けられている。尚、当該排水口１０は洗い場パンＰの内、一段落ち窪んだ箇所であって、洗い場パンＰの一番低い位置に設けられるとともに、当該排水口１０には排水トラップ１１が取り付けられている。
【００１５】
排水トラップ１１は排水トラップ本体１２、フランジ部材１３、防臭筒１４より構成されており、上記排水口１０に対し、パッキン１５を介してフランジ部材１３及び排水トラップ本体１２が螺着されている。又、当該フランジ部材１３には防臭筒１４及び後述するヘアキャッチャー１が取り付けられており、ヘアキャッチャー１上には目隠しプレート２０が載置されている。
【００１６】
排水トラップ本体１２は図示しない浴槽からの排水が流入する排水枝管１８と下流側の排水配管と接続する流出口１７を有するとともに、内部に椀部１６を有し、当該椀部１６内に排水を一時的に貯留し、封水を形成することが可能となっている。
【００１７】
防臭筒１４は上端が前記フランジ部材１３に固定可能であるとともに、上方より中程にかけて傾斜する傾斜部分と、当該傾斜部分の下端から垂下する筒状部分より構成されている。尚、フランジ部材１３に防臭筒１４が取り付けられた状態において、防臭筒１４の下端は前記椀部１６の上端より下方且つ椀部１６下端より上方に配置される。
【００１８】
上記各部材より構成される排水トラップ１１は、内部に洗い場パンＰからの排水が流入すると、前記椀部１６に封水が形成される。この時、防臭筒１４の内側が形成する流路と、防臭筒１４の外側と椀部１６の内側が形成する流路が封水で満たされるため、下流側（下水側）からの空気や水、害虫等が浴室内へと侵入することが不可能となる。
【００１９】
上記排水口１０（排水トラップ１１）に取り付けられるヘアキャッチャー１は、流入路２、捕集部３、流出孔４、隆起部５、オーバーフロー孔６、ロック溝７より構成されている。又、ヘアキャッチャー１は平面視円形の３回転対称形状であって断面視略すり鉢状に形成されている。
【００２０】
図２乃至図４に示すように、捕集部３は平面視円形であってヘアキャッチャー１の中央が凹状に窪むことにより形成され、底部には複数の流出孔４が穿設されている。流出孔４は捕集部３に流入した排水を流出するとともに、排水中の毛髪等を通過させず、捕集する。尚、ここにいう捕集とは、排水中の全ての毛髪を捕集することに限定されるわけではない。
尚、上記流出孔４は捕集部３の中央部分（底部）周辺にのみ穿設されており、捕集部３の中程から上端にかけては、流出孔４は設けられていない。
【００２１】
流入路２は捕集部３を中心として３箇所、平面視螺旋状に形成されている。又、流入路２はヘアキャッチャー１の外縁より捕集部３へ向けて形成され、洗い場パンＰからの排水を前記捕集部３へと導く。又、流入路２は捕集部３の接線に沿って捕集部３と合流するとともに、捕集部３に近づくにつれて流路幅が狭くなるよう形成されている。ここで、図１に示すように、ヘアキャッチャー１の取り付け時において、流入路２の端部（ヘアキャッチャー１の外縁）下端はフランジ部材１３の上端と略同一の高さに配置される。
【００２２】
隆起部５はヘアキャッチャー１の一部が上方へ向けて隆起することによって形成されており、ヘアキャッチャー１の外縁より捕集部３の上端までの位置において、上記流入路２を挟むようにして３箇所設けられている。尚、隆起部５はその上面にのみオーバーフロー孔６が穿設されており、その側面には孔が設けられていない。従って、隆起部５はその側面によって流入路２より流入する排水の流入方向を規制することができる。又、図４に示すように、隆起部５の上面は捕集部３に向けてなだらかに傾斜しており、隆起部５の上面に水滴が残留しないように構成されている。
【００２３】
オーバーフロー孔６は前記流出孔４より大径に形成された孔群であり、図１に示すように、ヘアキャッチャー１の取り付け時において、オーバーフロー孔６はフランジ部材１３の上端よりも高い位置に配置される。即ち、オーバーフロー孔６は取付面よりも高い位置に配置されている。
【００２４】
ロック溝７はヘアキャッチャー１の外側面に設けられた溝部であって、フランジ部材１３に設けられた突起よりもやや幅広に形成されており、当該ロック溝７内にフランジ部材１３の突起を嵌合させることによって、フランジ部材１３にヘアキャッチャー１を取り付けることができる。
【００２５】
上記ヘアキャッチャー１に対する排水の流れは以下のようになる。
【００２６】
シャワー等の使用により洗い場パンＰ上に毛髪等が混入した排水が生じた際、当該排水は洗い場パンＰ上を流れ、流入路２よりヘアキャッチャー１（排水口１０）へと流入する。この時、ヘアキャッチャー１へと流入する排水は螺旋状に設けられた流入路２によって旋回流となり、渦を巻きながら捕集部３へと流入する。又、流入路２は捕集部３に近づくにつれて流路幅が狭くなることから、流入した排水は捕集部３に近づくにつれてその流入速度が上昇する。
そして、捕集部３へと到達した排水は捕集部３の中程から上端の、流出孔４が形成されていない部分によってさらに強い旋回流となり、排水に混入した毛髪等を捕集部３の中央でまとめる。この時、捕集部３の流出孔４より徐々に（毛髪等を除く）排水が排水トラップ内へと排出される。
尚、上記流入路２は隆起部５によって挟まれているとともに、隆起部５の側面には孔が形成されていないことから、流入した排水は流入路２の内側のみを流れるため、乱流の発生を防ぐことができる。
【００２７】
排水の流入が終了すると、ヘアキャッチャー１上には毛髪等が残留するが、当該毛髪等は捕集部３の底部において１箇所にまとまっているため、ヘアキャッチャー１上より容易に除去が可能となる。
【００２８】
尚、上述したヘアキャッチャー１に対する排水の流れに関し、排水流量が多く、流入路２に収まり切れない程の排水が生じた場合や、流出孔４が毛髪等によって閉塞されて捕集部３から排水が溢れた場合（隆起部５上面まで水位が上昇した場合）には、隆起部５の上面に設けられたオーバーフロー孔６より排水が流出される。従って、洗い場パンＰ側に排水が逆流することはない。尚、オーバーフロー孔６は複数の孔よりなる孔群によって形成されているため、オーバーフロー孔６より毛髪等が下流側へと排出されることを防ぐことができる。尚、ここにいう防ぐとは、排水中の全ての毛髪が下流側へと排出されることを防ぐことに限定されるわけではない。
又、隆起部５の上面が捕集部３に向けて傾斜していることから、オーバーフロー孔６より排水の流出がなされた後、隆起部５の上面に残留した水滴は捕集部３へと導かれる。さらに、オーバーフロー孔６によって下流側へ流出することが防がれた毛髪等も、隆起部５上面の傾斜によって捕集部３へと導かれる。従って、隆起部５の上面には水滴や毛髪等が残留することなく清潔である。
【００２９】
以上、上記本発明によれば、流入路２が隆起部５によって挟まれていることから、排水の流入時において、意図せぬ方向に排水が流入することがない。
【００３０】
又、流入路２が捕集部３に近づくにつれて流路幅が狭くなることから、流入した排水の速度を上昇させることが可能となり、少ない排水量でも効果的に旋回流を発生させることができる。
【００３１】
本発明の第一実施形態は以上であるが、本発明は上記構造に限られるものではなく、発明の要旨を逸脱しない範囲内において種々の設計変更が可能である。
例えば、上記実施形態では流入路２及び隆起部５はそれぞれ３箇所設けられていたが、図５に示すように、それぞれ２箇所（２回転対称形状）に設けられていても良く、１箇所であったり４箇所以上であったりしても良い。当然に、ヘアキャッチャー１が回転対称形状でなくても良い。
【００３２】
又、オーバーフロー孔６は複数の孔群より形成されていたが、図６に示すように、隆起部５の上面に大きく１つの孔が形成されていても良く、孔の形状も矩形やスリット状等、円形に限られるものではない。尚、流出孔４の形状も同様に、矩形やスリット状等、円形に限られるものではない。
【００３３】
又、隆起部５の高さに関しては、ヘアキャッチャー１に設けられる目隠しプレート２０に干渉しない範囲であれば適宜高くしても良く、流入路２を通る排水が旋回流を生じさせることを阻害しない範囲であれば、適宜隆起部５の高さを低くしても良い。さらに、隆起部５が複数形成されている場合において、それぞれの隆起部５に高低差が形成されていても良い。例えば、第一実施形態に係る３箇所の隆起部５の内、１箇所の隆起部５のみ高く／低く形成されている等しても良い。これにより、排水の量に対してオーバーフロー孔６より排出される排水量をコントロールできる。
さらに、隆起部５の上面に関しては、捕集部３以外の方向に向けて傾斜していても良く、上面が略水平に形成されていても良い。
【００３４】
又、捕集部３は必ずしもヘアキャッチャー１の中心に形成されている必要はなく、偏芯した位置等、適宜位置変更を行っても良い。
【００３５】
又、本発明のヘアキャッチャーは、浴室の排水口以外にも洗面台の排水口等、種々の排水口に使用しても良い。
【符号の説明】
【００３６】
１        ヘアキャッチャー
２        流入路
３        捕集部
４        流出孔
５        隆起部
６        オーバーフロー孔
７        ロック溝
１０      排水口
１１      排水トラップ
１２      排水トラップ本体
１３      フランジ部材
１４      防臭筒
１５      パッキン
１６      椀部
１７      流出口
１８      排水枝管
２０      目隠しプレート
Ｐ        洗い場パン
【図１】
2015045152.tif 000003
【図２】
2015045152.tif 000004
【図３】
2015045152.tif 000005
【図４】
2015045152.tif 000006
【図５】
2015045152.tif 000007
【図６】
2015045152.tif 000008